(57)【特許請求の範囲】
【請求項１】
消費者デバイスおよび入札承諾サーバを備えるシステムであって、
前記消費者デバイスは、データエージェント、アナライザおよび集約装置を有し、
前記集約装置は、アイテムまたはサービスのプロバイダが関心ある特徴を含む情報要求を取得すると前記アナライザに送信し、
前記アナライザは、前記情報要求に含まれる前記関心ある特徴に基づいて、複数のアルゴリズムのうち１または複数を選択し、
前記アナライザは、前記関心ある特徴と前記アイテムまたは前記サービスとに基づいて、消費者に関して収集する情報タイプを判断し、
前記データエージェントは、前記アナライザの指示に基づき、前記消費者に関して判断された前記情報タイプのデータを収集して前記アナライザに送信し、
前記アナライザは、選択した１または複数の前記アルゴリズムを実行することにより、前記消費者に関して収集された前記情報タイプの前記データを分析して、分析の結果を前記集約装置に送信し、
前記集約装置は、前記アナライザから取得する前記分析の結果を、前記関心ある特徴に関して前記消費者と関連付けられた入札へとパッケージ化して、前記入札を前記入札承諾サーバに送信し、
前記入札承諾サーバは、前記消費者の前記入札および他の複数の消費者の複数の入札を、それぞれの前記消費者の前記消費者デバイスから受け取り、それぞれの入札に少なくとも部分的に基づいて、前記アイテムまたは前記サービスを受け取る複数の前記消費者のサブセットを選択する、
システム。
【請求項２】
前記入札承諾サーバは更に、
それぞれの前記入札に基づいて前記複数の消費者をランク付けし、
それぞれの前記ランク付けに少なくとも部分的に基づいて、前記アイテムまたは前記サービスを受け取る前記複数の消費者の前記サブセットを選択する、
請求項１に記載のシステム。
【請求項３】
複数の消費者デバイスおよび入札承諾サーバを備えるシステムであって、
前記複数の消費者デバイスの各々は、データエージェント、アナライザおよび集約装置を有し、
前記集約装置は、アイテムまたはサービスのプロバイダが関心ある複数の特徴の各々を含む情報要求を取得すると前記アナライザに送信し、
前記アナライザは、前記情報要求に含まれる前記関心ある複数の特徴の各々に対して、複数のアルゴリズムのうち１または複数を選択し、
前記アナライザは、前記関心ある複数の特徴の各々に対し、消費者に関して収集する複数の情報タイプの各々を判断し、
前記データエージェントは、前記アナライザの指示に基づき、前記消費者に関して判断された前記複数の情報タイプの各々のデータを収集して前記アナライザに送信し、
前記アナライザは、選択した１または複数の前記アルゴリズムを実行することにより、前記消費者に関して収集されたそれぞれの前記情報タイプのデータを分析して、分析の結果を前記集約装置に送信し、
前記集約装置は、前記アナライザから取得する前記分析の結果を、前記関心ある複数の特徴の各々に関して前記消費者と関連付けられた入札へとパッケージ化して、前記入札を前記入札承諾サーバに送信し、
前記入札承諾サーバは、
複数の前記消費者の複数の前記入札を、前記複数の消費者デバイスから受け取り、
それぞれの前記消費者の前記入札に少なくとも部分的に基づいて、前記アイテムまたは前記サービスを受け取る前記複数の消費者のサブセットを選択する、
システム。
【請求項４】
前記入札承諾サーバは、更に、
それぞれの前記消費者の前記入札に基づいて、前記複数の消費者をランク付けし、
それぞれの前記ランク付けに少なくとも部分的に基づいて、前記アイテムまたは前記サービスを受け取る前記複数の消費者の前記サブセットを選択する、請求項３に記載のシステム。
【請求項５】
前記アイテムまたは前記サービスは、イベントへの出席の許可を含み、
前記アナライザは、更に、前記消費者が前記イベントおよび前記イベントの開催地のうち１または複数のために事業上の関心を高める可能性に関する前記情報タイプの前記データを分析して、前記分析の結果を前記集約装置に送信する、請求項１〜４のいずれか１項に記載のシステム。
【請求項６】
前記アイテムまたは前記サービスは、イベントへの出席の許可を含み、
前記アナライザは、更に、
前記消費者が前記イベントに個人的に出席する可能性と、
前記消費者が前記イベント中に複数の物品および／またはサービスを購入する可能性と、
前記消費者が前記イベントの開催地における他の複数のイベントに出席する可能性と、
前記消費者が前記イベントに夢中になる程度と、
前記消費者が前記イベントおよび／または前記開催地に関して生成する可能性がある宣伝と、
前記消費者が対象の別の消費者に影響を与える能力、
のうちの１または複数に関する前記情報タイプの前記データを分析して、前記分析の結果を前記集約装置に送信する、請求項１〜５のいずれか１項に記載のシステム。
【請求項７】
前記アナライザは、更に、前記関心ある特徴および前記イベントの情報に基づいて、前記消費者が出席する他の複数のイベントに関係する情報を収集することを決定する、請求項５または６に記載のシステム。
【請求項８】
データエージェント、アナライザおよび集約装置を有する消費者デバイスに、
前記集約装置が、アイテムまたはサービスのプロバイダが関心ある特徴を含む情報要求を取得すると前記アナライザに送信し、
前記アナライザが、前記情報要求に含まれる前記関心ある特徴に基づいて、複数のアルゴリズムのうち１または複数を選択し、
前記アナライザが、前記関心ある特徴と前記アイテムまたは前記サービスとに基づいて、消費者に関して収集する情報タイプを判断し、
前記データエージェントが、前記アナライザの指示に基づき、前記消費者に関して判断された前記情報タイプのデータを収集して前記アナライザに送信し、
前記アナライザが、選択した１または複数の前記アルゴリズムを実行することにより、前記消費者に関して収集された前記情報タイプの前記データを分析して、分析の結果を前記集約装置に送信し、
前記集約装置が、前記アナライザから取得する前記分析の結果を、前記関心ある特徴に関して前記消費者と関連付けられた入札へとパッケージ化して、前記入札を入札承諾サーバに送信する、
手順を実行させ、
前記入札承諾サーバに、前記消費者の前記入札および他の複数の消費者の複数の入札を、それぞれの前記消費者の前記消費者デバイスから受け取り、それぞれの入札に少なくとも部分的に基づいて、前記アイテムまたは前記サービスを受け取る複数の前記消費者のサブセットを選択する、手順を実行させる、
プログラム。
【請求項９】
前記入札承諾サーバに、
それぞれの前記入札に基づいて前記複数の消費者をランク付けし、
それぞれの前記ランク付けに少なくとも部分的に基づいて、前記アイテムまたは前記サービスを受け取る前記複数の消費者の前記サブセットを選択する、手順を更に実行させる、
請求項８に記載のプログラム。
【請求項１０】
各々がデータエージェント、アナライザおよび集約装置を有する、複数の消費者デバイスの各々に、
前記集約装置が、アイテムまたはサービスのプロバイダが関心ある複数の特徴の各々を含む情報要求を取得すると前記アナライザに送信し、
前記アナライザが、前記情報要求に含まれる前記関心ある複数の特徴の各々に対して、複数のアルゴリズムのうち１または複数を選択し、
前記アナライザが、前記関心ある複数の特徴の各々に対し、消費者に関して収集する複数の情報タイプの各々を判断し、
前記データエージェントが、前記アナライザの指示に基づき、前記消費者に関して判断された前記複数の情報タイプの各々のデータを収集して前記アナライザに送信し、
前記アナライザが、選択した１または複数の前記アルゴリズムを実行することにより、前記消費者に関して収集されたそれぞれの前記情報タイプのデータを分析して、分析の結果を前記集約装置に送信し、
前記集約装置が、前記アナライザから取得する前記分析の結果を、前記関心ある複数の特徴の各々に関して前記消費者と関連付けられた入札へとパッケージ化して、前記入札を入札承諾サーバに送信する、
手順を実行させ、
前記入札承諾サーバに、
複数の前記消費者の複数の前記入札を、前記複数の消費者デバイスから受け取り、
それぞれの前記消費者の前記入札に少なくとも部分的に基づいて、前記アイテムまたは前記サービスを受け取る前記複数の消費者のサブセットを選択する、手順を実行させる、
プログラム。
【請求項１１】
前記入札承諾サーバに、
それぞれの前記消費者の前記入札に基づいて、前記複数の消費者をランク付けし、
それぞれの前記ランク付けに少なくとも部分的に基づいて、前記アイテムまたは前記サービスを受け取る前記複数の消費者の前記サブセットを選択する、手順を更に実行させる、
請求項１０に記載のプログラム。
【請求項１２】
前記アイテムまたは前記サービスは、イベントへの出席の許可を含み、
前記消費者デバイスに、
前記アナライザが、前記消費者が前記イベントおよび前記イベントの開催地のうちの１または複数のために事業上の関心を高める可能性に関する前記情報タイプの前記データを分析して、前記分析の結果を前記集約装置に送信する
手順を更に実行させる、請求項８〜１１のいずれか１項に記載のプログラム。
【請求項１３】
前記アイテムまたは前記サービスは、イベントへの出席の許可を含み、
前記消費者デバイスに、
前記アナライザが、
前記消費者が前記イベントに個人的に出席する可能性と、
前記消費者が前記イベント中に複数の物品および／またはサービスを購入する可能性と、
前記消費者が前記イベントの開催地における他の複数のイベントに出席する可能性と、
前記消費者が前記イベントに夢中になる程度と、
前記消費者が前記イベントおよび／または前記開催地に関して生成する可能性がある宣伝と、
前記消費者が対象の別の消費者に影響を与える能力、
のうちの１または複数に関する前記情報タイプの前記データを分析して、前記分析の結果を前記集約装置に送信する
手順を更に実行させる、請求項８〜１２のいずれか１項に記載のプログラム。
【請求項１４】
前記消費者デバイスに、
前記アナライザが、前記関心ある特徴および前記イベントの情報に基づいて、前記消費者が出席する他の複数のイベントに関係する情報を収集することを決定する、
手順を更に実行させる、請求項１３に記載のプログラム。
【請求項１５】
消費者デバイスおよび入札承諾サーバによって実行される方法であって、
前記消費者デバイスは、データエージェント、アナライザおよび集約装置を有し、
前記集約装置が、アイテムまたはサービスのプロバイダが関心ある特徴を含む情報要求を取得すると前記アナライザに送信する段階と、
前記アナライザが、前記情報要求に含まれる前記関心ある特徴に基づいて、複数のアルゴリズムのうち１または複数を選択する段階と、
前記アナライザが、前記関心ある特徴と前記アイテムまたは前記サービスとに基づいて、消費者に関して収集する情報タイプを判断する段階と、
前記データエージェントが、前記アナライザの指示に基づき、前記消費者に関して判断された前記情報タイプのデータを収集して前記アナライザに送信する段階と、
前記アナライザが、選択した１または複数の前記アルゴリズムを実行することにより、前記消費者に関して収集された前記情報タイプの前記データを分析して、分析の結果を前記集約装置に送信する段階と、
前記集約装置が、前記アナライザから取得する前記分析の結果を、前記関心ある特徴に関して前記消費者と関連付けられた入札へとパッケージ化して、前記入札を入札承諾サーバに送信する段階と、
前記入札承諾サーバが、前記消費者の前記入札および他の複数の消費者の複数の入札を、それぞれの前記消費者の前記消費者デバイスから受け取り、それぞれの入札に少なくとも部分的に基づいて、前記アイテムまたは前記サービスを受け取る複数の前記消費者のサブセットを選択する段階と
を備える、方法。
【請求項１６】
前記複数の消費者の前記サブセットを選択する段階は、
前記入札承諾サーバが、それぞれの前記入札に基づいて前記複数の消費者をランク付けする段階と、
前記入札承諾サーバが、それぞれの前記ランク付けに少なくとも部分的に基づいて、前記アイテムまたは前記サービスを受け取る前記複数の消費者の前記サブセットを選択する段階と、を有する、請求項１５に記載の方法。
【請求項１７】
前記プロバイダが関心ある複数の特徴の各々について、前記情報要求を前記アナライザに送信する段階と、前記複数のアルゴリズムのうち１または複数を選択する段階と、複数の消費者の各々に関して収集する前記情報タイプを判断する段階と、前記情報タイプの前記データを収集して送信する段階と、前記分析の結果を送信する段階と、前記分析の結果を前記複数の消費者の各々と関連付けられた前記入札へとパッケージ化して送信する段階と、前記複数の消費者のサブセットを選択する段階と、を更に備える、請求項１５または１６に記載の方法。
【請求項１８】
前記アイテムまたは前記サービスは、イベントへの出席の許可を含み、
前記分析の結果を送信する段階は、前記アナライザが、前記消費者が前記イベントおよび前記イベントの開催地のうち１または複数に対する事業上の関心を高める可能性に関する前記情報タイプの前記データを分析して、前記分析の結果を前記集約装置に送信する段階を含む、
請求項１５〜１７のいずれか１項に記載の方法。
【請求項１９】
前記アイテムまたは前記サービスは、イベントへの出席の許可を含み、
前記分析の結果を送信する段階は、
前記アナライザが、
前記消費者が前記イベントに個人的に出席する可能性、
前記消費者が前記イベント中に複数の物品および／またはサービスを購入する可能性、
前記消費者が前記イベントの開催地における他の複数のイベントに出席する可能性、
前記消費者が前記イベントに夢中になる程度、
前記消費者が前記イベントおよび／または前記開催地に関して生成する可能性がある宣伝、
前記消費者が対象の別の消費者に影響を与える能力
のうち１または複数に関する前記情報タイプの前記データを分析して、前記分析の結果を前記集約装置に送信する段階を含む、請求項１５〜１８のいずれか１項に記載の方法。
【請求項２０】
前記情報タイプを判断する段階は、前記アナライザが、前記関心ある特徴および前記イベントの情報に基づいて、前記消費者が出席する他の複数のイベントに関係する情報を判断する段階を有する、請求項１９に記載の方法。
【請求項２１】
前記集約装置が、前記アナライザから取得する前記分析の結果を、複数の消費者の複数の消費者デバイスと関連付けられた複数の入札へとパッケージ化して、前記複数の入札を入札承諾サーバに送信する段階を更に備える、請求項１５〜２０のいずれか１項に記載の方法。
【請求項２２】
請求項８〜１４のいずれか１項に記載のプログラムを格納するコンピュータ可読媒体。
【発明の詳細な説明】
【背景技術】
【０００１】
現在、消費者が希少または非常に珍重されるアイテム（例えば、野球のカード等の限定版アイテム、限定シートのイベント等のチケット）を購入または取得することを希望する場合、消費者は、主に時間および金銭に基づいてアイテムを取得するための限定された選択肢を有することがある。例えば、限定シートを伴う人気のあるコンサートまたはイベントのチケットでは、消費者は、アイテムの販売前に、（例えば、オンライン発券サービスにより）チケット購入を行い、（いくつかの場合に、数分で行われ得る）、または出席するべく、額面価値をはるかに超える金額を第三者の発券代理店またはチケットのダフ屋に支払う必要があり得る。オークションに出される希少アイテムでは、例えば、消費者は、割り当てられたオークションタイムウィンドウで誰よりも高値で競り合う必要がある。富とスピードが商業主義の基礎とみなされ得るが、これらの販売メカニズムは、ベンダがそのアイテムの消費者に見出したいことにおける決定権を、ベンダに与えるものではなく、更に、アイテムを提供されるときに、消費者がベンダに提供し得る価値を提示する機会を、消費者に与えない。
【図面の簡単な説明】
【０００２】
【図１】各々、本明細書において説明される様々な実施形態による、本明細書において説明される複数のシステムの例示的ブロック図を図示する。
【図２】各々、本明細書において説明される様々な実施形態による、本明細書において説明される複数のシステムの例示的ブロック図を図示する。
【図３】各々、本明細書において説明される様々な実施形態による、本明細書において説明される複数のシステムの例示的ブロック図を図示する。
【図４】各々、本明細書において説明される様々な実施形態による、本明細書において説明される複数のシステムの例示的ブロック図を図示する。
【図５】各々、本明細書において説明される様々な実施形態による、本明細書において説明される複数のシステムの例示的ブロック図を図示する。
【図６】各々、本明細書において説明される様々な実施形態による、本明細書において説明される複数のシステムの例示的ブロック図を図示する。
【図７】一実施形態による、本明細書において説明されるシステムを用いて入札の意向を確認する例示的プロセスフローを図示するシーケンス図である。
【図８】一実施形態による、本明細書において説明されるシステムを用いて入札を募集する例示的プロセスフローを図示するシーケンス図である。
【図９】一実施形態による、本明細書において説明される集約装置の視点からの例示的プロセスフローを図示するフローチャートである。
【図１０】一実施形態による、本明細書において説明されるアナライザの視点からの例示的プロセスフローを図示するフローチャートである。
【図１１】一実施形態による、本明細書において説明される入札承諾サーバの視点からの例示的プロセスフローを図示するフローチャートである。
【図１２】一実施形態による、本明細書において説明される入札者デバイスの視点からの例示的プロセスフローを図示するフローチャートである。
【図１３】一実施形態による、例示的な入札承諾サーバのブロック図である。
【図１４】一実施形態による、例示的な入札者デバイスのブロック図である。
【０００３】
図面において、参照番号の最も左の数字は、参照番号が最初に現れた図面を識別し得る。
【発明を実施するための形態】
【０００４】
消費者がコンサートのチケットまたは他の非常に珍重されるアイテム等の希少アイテムを巡って競合する場合、消費者が金銭的入札を、ベンダまたは売主に非金銭的価値を提供し得ることを示すデータと置き換え、またはこれを補う容易で自動化された態様は存在しない。厳しい住宅市場において、買主は、リスト価格よりも高いオファーをするよりも多くのことを行う場合がある。買主は、住宅を買うには完璧な人であることを売主に納得させようと試みて、売主に心からの手紙を書く。これらの手紙は、売主との感情的結びつきを築いて、特定の買主が取引にもたらす価値が金銭以上のものであり、他の無形の対価を含むことを伝達することを意図している。しかし、これらの手紙は、当事者間の信頼に依存し、保証または具体的な対策を提供しない。本明細書において説明される複数のシステムは、金銭的入札を、ベンダに所望の質および結果を証明し得るデータで補い、またはこれと置き換える処理を自動化することを意図する。これらのシステムを用いることにより、アイテムのプロバイダに最も高い価値を提供し、他の消費者よりも優位であり、当該アイテムを有するべき者であることを示す、関連私的データを共有することで、ベンダが複数のアイテムを巡って複数の消費者を競合させることを可能にし得る。
【０００５】
アイテムまたはサービスのプロバイダに潜在的な高い価値の表示を提供する、非金銭的性質の入札の募集をどのように自動的に実現するかという技術的問題を解決する複数の技術が、本明細書において開示される。
【０００６】
ここで、図面を参照して複数の実施形態が説明される。同一の参照番号は、同一または機能的に類似の要素を示し得る。具体的な複数の構成および配置が検討されるが、これは例示的な目的でのみ行われることを理解されたい。当業者は、本明細書の趣旨および範囲を逸脱することなく、他の複数の構成および配置が用いられ得ることを理解するであろう。これが様々な他の複数のシステム、および本明細書において説明される以外の用途においても利用され得ることが、当業者には明らかであろう。
【０００７】
本明細書において説明される複数のシステムを用いるのに非常に好適な１つのシナリオは、極めて人気のあるバンド（例えば、コールドプレイ）が、非常に小さな開催地（例えば、（架空の）アトミックラウンジ）で演奏する予定であるシナリオである。この１つのシナリオは、理解を容易にするべく説明され、これは限定的な例ではない。多くのシナリオは、本明細書において説明される複数のシステムから利益を得ることができる。
【０００８】
このシナリオにおいて、アトミックラウンジは、３００人のための空間のみを有する小さなヒップコンサート開催地であり得る。ダイハードコールドプレイのファンには、これは一生のチャンスであり得る。通常、潜在的なチケット購入者は、所望のチケットが販売される予定である時期の前に発券サービスのウェブサイトを訪れ、チケットの販売前に１または複数のチケットを購入することを試みるであろう。人気のあるバンドにおいては、チケットは、数分で完売し、チケットを首尾よく購入するチャンスは、インターネット接続のスピードもしくは強度、タイピングのスピードおよび精度、クレジットカード情報のアクセス可能性等、様々な要因に依存し得る。しかし、このコンサートでは、チケットを直接に購入することに代えて入札が採用され、出席者を、プロバイダに最も高い価値（例えば、最も高い利益、最も高い広告潜在力、最高のエネルギー、最も多くの楽しさ等）を提供する者に限定する機会を、プロバイダ（例えば、開催地および／またはバンド等）に与え得る。換言すれば、アトミックラウンジおよび／またはバンドであるコールドプレイは、可能な限り最も高い価値を提供してくれる出席者を期待して、コンサート来場者において評価する複数の特徴に基づいて当該出席者を選ぶことができる。
【０００９】
アトミックラウンジは、例えば、チケットの支払をする能力、チケット購入者がコンサートに実際に出席する（つまり、チケット購入者がダフ屋ではない）という保証、買主がイベントにおいて一定額の食物および／または飲料を購入する可能性（ラウンジに最も多くの利益をもたらし得る）、買主が（例えば、上顧客に対する謝礼として）アトミックラウンジの他の複数のショーに出席したか、または出席する可能性、買主がアトミックラウンジのターゲット層に一致すること（例えば、一定の種類の集団に対してラウンジの評判を強化または維持するのに役立つ）等を含む、出席者の複数の特徴に最も関心がある場合がある。他方、バンドであるコールドプレイは、例えば、買主がショーで所与の額の商品を購入する可能性、「熱狂的ファン」の高い度合（例えば、ショーの多くに出席し、および／または全てではないにしても、アルバムの多くを所有するファン等）、ソーシャルメディアによりバンドまたは当該特定のショーに関して多くの噂を生じさせる能力（例えば、ツイッター（登録商標）、フェースブック（登録商標）、ブログ等）、友人の音楽を視聴する習慣を変える能力（例えば、メディアの推奨サービス等）等、複数の特徴に関心があり得る。本明細書において説明される入札システムについては、開催地および／またはバンドは、最適化値に出席者集団をカスタマイズするべく、例えば、上述の所望の複数の特徴に基づいて、カスタマイズされた複数の入札を要求および募集し得る。
【００１０】
実施形態において、潜在的チケット購入者は、例えば、コールドプレイチケットを取得するべくウェブサイトを訪れ得る。例えば、ウェブサイトは、開催地、バンド、または第三者の発券サービスのウェブサイトであり得る。ウェブサイトから購入画面へと導かれるのではなく、潜在的チケット購入者は、この特定のコンサートに用いられる特別入札システムについて知らされ、入札者として含められることを希望するか否かを尋ねられ得る。実施形態において、潜在的入札者として実行状態に置かれるべく、潜在的チケット購入者は、例えば、少なくとも電子メールアドレスを含み得るいくつかの識別情報を提供するように依頼され得る。実施形態において、入札処理は、潜在的入札者が、パーソナルコンピューティングデバイス（例えば、パーソナルコンピュータ（ＰＣ）、ラップトップコンピュータ、スマートデバイス（例えば、スマートフォン、スマートタブレット、またはスマートテレビ）等）上の入札システムサーバ（本明細書において「入札承諾サーバ」と称する）から、メッセージ（例えば、電子メール、テキストメッセージ、ツイート（登録商標）（ツイッター（登録商標）による）、インスタントメッセージ等）を受信するまで進行しないことがある。例えば、受信されたメッセージは、潜在的入札者をウェブページに導き、入札処理を継続し得、または入札処理を継続するべく実行するアプリケーションをダウンロードするように、潜在的入札者を促し得る。代替的な実施形態において、潜在的チケット購入者が最初に訪れてチケットを取得するウェブサイトは、潜在的入札者にメッセージを送信することなく、存在するウェブページ（または別のウェブページ）経由で入札処理を継続するように、潜在的入札者に指示し得る。これらの実施形態のいずれにおいても、潜在的入札者は、入札を行う意思を確認するよう依頼され、および／または入札を組織化するべく、潜在的入札者が、どのタイプデータにシステムが電子的にアクセスすることを許可し、または許可しないかに関する複数の質問に回答するように依頼され得る。例えば、実施形態において、潜在的入札者は、購入履歴およびクレジットカードデータにアクセスすることを許可するが、一定の私的ファイルまたはメッセージ（例えば、テキストメッセージ）にアクセスすることを許可しないことを示すことができる。別の実施形態において、潜在的入札者は、分析のために一定のタイプの未加工データにアクセスすることを許可してもよく、複数の分析結果が入札の一部として送信されることを許可するが、未加工データ自体が送信されることを許可しないこともある。これにより、潜在的入札者に、入札を組織化するべく、どの私的データに電子的にアクセスし、および／または分析するかに対するいくつかの制御を提供する。潜在的入札者が上述の許可を提供すると、入札者は、確認済み入札者とみなされ得、データ分析処理が開始し得る。実施形態において、確認済み入札者の所与の閾値数に達すると、入札システムは、それ以上の入札者に許可することができない。例えば、コンサートのシナリオにおいて、コンサートのために３００のチケットが入手可能である場合、システムは、より多い数の入札者（例えば、１０００の入札者）を許可するように設定されることで、システムが、当該特定のコンサートへの入場に最も相応しいと開催地およびバンドが考える３００の入札者を、選択することを可能にし得る。
【００１１】
図１は、一実施形態による、入札システム１００の例示的ブロック図を図示する。入札システム１００は、ネットワーク１０６を介して通信する、入札承諾サーバ１０２、１または複数の入札者デバイス１０４―１〜１０４―Ｎ（集合的に１０４）を含み得る。入札承諾サーバ１０２は、入札承諾サーバ１０２のコントローラにより実行または制御されるソフトウェアおよび／またはハードウェアに実装され得る。議論を明確で容易なものにするべく、１つの入札承諾サーバのみが図示されるが、入札承諾サーバは、例えば、冗長および／または負荷共有用の複数の分配サーバコンピュータを含み得ることを理解されたい。
【００１２】
複数の入札者デバイス１０４は、モバイルおよび非モバイルデバイスを含み得るコンピューティングデバイスであってもよい。モバイルデバイスとしては、例えば、ラップトップコンピュータ、ウルトララップトップコンピュータ、タブレット、タッチパッド、ポータブルコンピュータ、ハンドヘルドコンピュータ、パルムトップコンピュータ、情報携帯端末（ＰＤＡ）、電子書籍リーダ、携帯電話、携帯電話／ＰＤＡの組み合わせ、モバイルスマートデバイス（例えば、スマートフォン、スマートタブレット等）、モバイルインターネットデバイス（ＭＩＤ）、モバイルメッセージングデバイス、モバイルデータ通信デバイス、モバイルメディアプレイデバイス、カメラ、モバイルゲームコンソール等が挙げられ得るが、これらに限定されない。非モバイルデバイスとしては、例えば、パーソナルコンピュータ（ＰＣ）、テレビ、スマートテレビ、データ通信デバイス、メディアプレイデバイス、ゲームコンソール等が挙げられ得るが、これらに限定されない。複数の入札者デバイス１０４は、ネットワーク経由で複数の外部サービスプロバイダにより提供される複数のローカルプログラムまたは消費サービスを実行するべく、ソフトウェアおよび／または制御ハードウェアを実行する、複数のコントローラおよび他のコンポーネントを含み得る、ユーザデバイス（例えば、入札者のパーソナルユーザデバイス）である。例えば、複数の入札者デバイス１０４は、ウェブベースの複数のサービス（例えば、オンラインストア、ソーシャルネットワーキングサービス、ブログサービス等）を利用し、またはアクセスするための１もしくは複数のソフトウェアクライアントまたはアプリケーションを含み得る。複数の入札者デバイス１０４は、また、あるいはこれに代えてブラウザで実行されるウェブインターフェースを含み、これから、入札者デバイスがそのようなウェブベースのサービスにアクセスし得る。複数の入札者デバイス１０４は、複数の入札者デバイスのユーザにより用いられるプログラムおよびサービスに関連するロジックおよびデータを格納する、複数のストレージデバイス１１２―１〜１１２―Ｎ（集合的に１１２）も含み得る。
【００１３】
ネットワーク１０６は、広域通信網（ＷＡＮ）、ローカルエリアネットワーク（ＬＡＮ）等、任意の有線または無線ネットワークであってもよい。一例として、ネットワーク１０６は、インターネット等の分配された公衆網であってもよく、入札承諾サーバ１０２および複数の入札者デバイス１０４は、有線もしくは無線接続を介してネットワーク１０６に接続される。
【００１４】
入札システム１００は、複数の入札者デバイス１０４を介して複数の入札者により消費されるウェブベースの複数のサービスに関連するデータを含む、複数のデータソース１０８―１〜１０８―Ｍ（集合的に１０８）も含み得る。複数のデータソース１０８は、ウェブベースの複数のサービス（例えば、オンラインストア、ソーシャルネットワーキングサービス、ブログサービス等）の複数のサービスプロバイダにより制御され得る。本明細書において説明される複数の実施形態において、複数のデータソース１０８に存在するデータは、以下により詳細に説明されるように、ネットワーク１０６経由で入札システムによりアクセスされ得る。複数の実施形態において、入札サービスは、入札目的でデータソース１０８に格納された一定のデータにアクセスすることを許可するべく、外部のウェブベースのサービスプロバイダとの契約を有することがある。このアクセスは、データソースに存在するデータアテンダント１１３により管理され得る。データアテンダント１１３は、ソフトウェアおよび／またはハードウェアに実装され得、例えば、外部のウェブベースのサービスにより管理されるコントローラにより、制御され得る。
【００１５】
入札システムにより提供された入札サービスの顧客またはクライアントとしては、前に説明されたように、例えば、アイテムまたはサービスのベンダ（例えば、店舗、発券サービス等）および／またはイベントの開催地が挙げられ得る。コンサートの例において、開催地は、コンサートのチケットを販売する発券サービスと機能し得る。代替的な例において、開催地自体（例えば、アトミックラウンジ）は、チケットの直接のベンダであり得る。いずれの場合にも、入札サービスは、第三者のサービスを通じて提供されてもよく、入札承諾サーバは、図１に示されるように、第三者のサービスにより別個に制御される。図１に示されるように、開催地またはベンダのコンピューティングデバイス１１０は、入札ステータス、入札結果、入札システム管理等の情報に対するアクセスを有するべく、ネットワーク１０６を介して入札承諾サーバ１０２と通信し得る。代替的な実施形態において、入札サービスは、図２に示されるように、ベンダまたは開催地から直接に提供され得る。図２において、入札システム２００は、ベンダまたは開催地のコンピューティングシステム２１０と一体化された入札承諾サーバ２０２を示す。
【００１６】
入札システムの実施形態の一般的概要として、全ての確認済み入札者に対して集約装置が（例えば、入札承諾サーバにより）割り当てられ、入札者に関連する電子的に入手可能なデータの自動的収集および分析を統括し得る。集約装置は、入札者に固有の情報要求と共に提供され得る。コンサートの例において、開催地またはバンドがコンサートの出席者に見出すこと希望する複数の特徴を探すように、情報要求は、開催地またはバンドからの入力によりカスタマイズされ得る。また、入札者がアクセスおよび／または分析することが許容可能とみなすデータのタイプに関して、入札者からの入力により、情報要求は、限定され得る。集約装置は、１または複数のアナライザをスポーンおよび／または導いて情報要求からの固有データポイントに関する情報を収集および分析し得る。各アナライザは、各固有データポイントに対して実行する命令またはアルゴリズムを判断することができ、どの固有データアイテムが要求され、それをどこで探すべきか（例えば、入札者のコンピューティングデバイス、外部のウェブベースのサービスのデータベース等）を判断し得る。各アナライザは、１または複数のデータエージェントをスポーンおよび／または導いて、各固有データアイテムを取得し、それをアナライザに提供し得る。各アナライザは、（例えば、判断された命令またはアルゴリズムを実行することにより）取得済みデータを分析し、結果を集約装置に返し得る。集約装置は、複数の分析結果を、対価に対して提供されるべき入札にパッケージ化し得る。この処理は、本文書において後により詳細に説明される。
【００１７】
実施形態において、集約装置、アナライザ、データエージェントは、図３に示されるように入札承諾サーバに存在し得、入札承諾サーバ３０２は、集約装置３１４、アナライザ３１６、およびデータエージェント３１８を含む。別の実施形態において、集約装置およびアナライザは、図４に示されるように入札承諾サーバに存在し得、入札承諾サーバ４０２は、集約装置４１４およびアナライザ４１６を含み、データエージェント４１８は、複数の入札者デバイス４０４に存在し得る。本実施形態において、データエージェント４１８は、複数の入札者デバイス４０４に提供され、これにより実行され得る。更なる実施形態において、集約装置は、図５に示されるように入札承諾サーバに存在し得、入札承諾サーバ５０２は、集約装置５１４を含み、アナライザ５１６およびデータエージェント５１８は、複数の入札者デバイス５０４に存在し得る。本実施形態において、データエージェント５１８を含み得るアナライザエージェントは、入札者デバイス５０４に提供され、これにより実行され得る。なおも更なる実施形態において、図６に示されるように、集約装置６１４、アナライザ６１６、およびデータエージェント６１８は、複数の入札者デバイス６０４に存在し得る。本実施形態において、アナライザエージェントおよびデータエージェントを含み得る集約装置エージェントは、複数の入札者デバイス６０４に提供され、これにより実行され得る。図３〜６において、集約装置、アナライザ、および／またはデータエージェントは、いくつか態様で入れ子になっているものとして示されている。これは限定することを意味しない。代替的な複数の実施形態において、これらは、入札承諾サーバまたは複数の入札者デバイス内の別個のコンポーネントであり得る。
【００１８】
ここで、入札システムの様々な実施形態のより詳細な説明が提示される。
【００１９】
図７は、一実施形態による、本明細書において説明されるシステムを用いて入札の意向を確認する例示的プロセスフローを図示するシーケンス図である。一例としてコンサートのシナリオを更に用いると、ある人が小さい開催地での特別なコンサートのチケットを購入することに関心を示す場合（例えば、その人が例えば、開催地、バンド、または発券代理店のウェブサイトまたはフェースブック（登録商標）ページで当該コンサートの広告またはアナウンスをクリックした場合）、その人は、入札の機会について知らされ、参加することを希望するか否かを尋ねられ得る。参加することを希望する潜在的入札者に対しては、入札承諾サーバ７０２は、入札者の入札者デバイス７０４に入札確認要求を提供し得る（７３０）。入札者デバイス７０４は、入札確認要求を受信し（７３２）、例えば、入札者デバイス上のユーザインターフェースを介して入札者に入札確認要求を提示し得る（７３４）。実施形態において、入札確認要求は、入札確認ウェブページを表示することにより、入札者デバイスに、そして最終的には入札者に提供され得る。別の実施形態において、入札確認要求は、入札者に対するメッセージ（例えば、電子メール、テキストメッセージ、インスタントメッセージ等）により送信され得、入札者は、メッセージから入札確認ウェブページに導かれ得る。更なる実施形態において、入札確認要求は、入札者デバイスがダウンロードおよび実行し得るダウンロード可能なアプリケーションとして、入札者デバイスに提供され得る。入札者に入札確認要求を提供する他の複数の態様も企図され得る。
【００２０】
入札者デバイス７０４は、入札者から入力を受信し得る（７３６）。入札確認要求は、入札処理において用いられる、入札者からのいくつかの更なる情報を要求し得る。実施形態において、入札確認要求は、入札者からの入力を要求し、入札者が本当に入札を提出することを意図することを直接に確認し得る。これも、入札者に例えば、入札規則、用語、および／または条件について電子的に「同意」させる態様であり得る。別の実施形態において、入札確認要求は、本明細書において前に検討されたように、入札を組織化するべく、入札者がどのタイプのデータにアクセスし、および／または分析することを許可するかに関して、入札者からの入力を要求し得る。入札者は、例えば、入札者デバイス上のユーザインターフェースを用いて、表示されたウェブページまたはダウンロードされたアプリケーションを介してこの要求入力を提供し得る。
【００２１】
入札者デバイス７０４は、入札承諾サーバ７０２に対する入札確認アクノリッジメントまたは返信を提供し得る（７３８）。実施形態において、これは、例えば、入札者が要求入力を完了すると、入札者が入札確認ウェブページまたはダウンロードされたアプリケーションスクリーン上の「提出」ボタンをクリックすることに応答して実行され得る。入札承諾サーバ７０２は、入札確認の返信を受信し得る（７４０）。実施形態において、入札処理のデータ分析部分について前進させるべく、入札承諾サーバ７０２は、任意選択で入札者デバイス７０４にデータ収集ツールを提供することができ（７４２）、入札者デバイス７０４は、データ収集ツールを受信し得る（７４４）。例えば、図４に示される実施形態において用いるべく、入札承諾サーバ７０２は、１または複数のデータエージェントをデータ収集用の入札者デバイス７０４に提供し得る。本実施形態において、データエージェントは、入札者デバイス７０４によりダウンロードされ、実行され得る。別の例において、図５に示される実施形態において用いるために、入札承諾サーバ７０２は、１もしくは複数のデータエージェントを含み得る１もしくは複数のアナライザエージェントを、入札者デバイス７０４に提供し得る。本実施形態において、アナライザエージェント（および任意の複数のスポーンデータエージェント）は、入札者デバイス７０４によりダウンロードされ、実行され得る。更なる例において、図６に示される実施形態で用いるために、入札承諾サーバ７０２は、１もしくは複数のアナライザエージェントおよび１もしくは複数のデータエージェントを含み得る集約装置エージェントを、入札者デバイス７０４に提供し得る。本実施形態において、集約装置エージェント（ならびに任意の複数のスポーンアナライザエージェントおよびデータエージェント）は、入札者デバイス７０４により実行され得る。データ収集ツールは、ダウンロード可能なアプリケーションとして入札者デバイス７０４に提供され得る。実施形態において、データ収集ツールは、上記の入札確認要求と共に提供されていることがある。別の実施形態において、データ収集ツールおよび入札確認要求は、双方が１つのダウンロード可能なアプリケーションに含まれ得る。
【００２２】
図８は、一実施形態による、本明細書において説明されるシステムを用いて入札を募集する例示的プロセスフローを図示するシーケンス図である。情報要求は、入札承諾サーバ８０２により集約装置８１４に提供され得（８５０）、集約装置８１４は、情報要求を受信する（８５２）。実施形態において、集約装置８１４は、入札承諾サーバ８０２と共に位置付けられ得る。代替的実施形態において、集約装置８１４は、入札者（つまり、入札者デバイス）のユーザデバイスに位置し得る。情報要求は、アイテムまたはサービス（例えば、コンサートの例において、コンサートのチケットを提供している開催地および／またはバンド）のプロバイダが所望であると表現している、複数の特徴を用いて定義された入札者に関する情報に対する要求を含み得る。実施形態において、情報要求は、入札を組織化するべく、入札者がどのタイプのデータにアクセスし、および／または分析することを許容可能とみなしたかに関して、入札者からすでに取得された入力に基づいて限定されていることがある。コンサートの例として、情報要求は、入札者がチケットの支払をする能力を有するか否か、入札者が実際にコンサートに出席するか（つまり、入札者がダフ屋でない）可能性、入札者がイベントで一定額の食物および／または飲料を購入する可能性（これは、開催地に最も大きな利益をもたらし得る）、入札者が開催地で他のショーに出席したか、または出席する（例えば、上顧客に対する謝礼として）可能性、入札者が開催地のターゲット層に一致すること（例えば、一定の種類の集団に対して開催地の評判を強化または維持するのに役立つ）、入札者がショーにおいて所与の額の商品を購入する可能性、「熱狂的ファン」の度合（例えば、バンドのショーの多くに出席し、および／または全てではないにしても多くのアルバム等を所有するファン）、ソーシャルメディアによりバンドまたは当該特定のショーに関して多くの噂を生じさせる能力（例えば、ツイッター（登録商標）、フェースブック（登録商標）、ブログ等）、友人の音楽を視聴する習慣を変える能力（例えば、メディアの推奨サービス等）等、例示的な複数の照会を含み得るが、これらに限定されない。
【００２３】
各照会に対して、集約装置８１４は、例えば、アナライザをスポーンおよび／または導いて、当該特定の照会に応答して入札者に関連するデータを取得および分析し得る（８５４）。上述のように、実施形態に応じて、アナライザは、入札承諾サーバと共に位置付けられ得、または入札者デバイスに位置し得る。特定のアナライザ８１６は、特定の照会に対する情報アイテム要求を受信することができ（８５６）、どのアルゴリズムが当該照会に応答する必要があり得るか、およびどのデータが取得される必要があり得るかを識別し得る（８５８）。実施形態において、アルゴリズムは、予め定められた複数のアルゴリズムのライブラリから選択され得る。上述のように、予め定められた複数のアルゴリズムは、入札者により提供された入力に基づいて限定されており、入札を組織化するべく、どのタイプのデータにアクセスし、および／または分析されるかに対するいくつかの制御を提供し得る。コンサートの例において、一例として、入札者がショーにおいて所与の額の商品を購入するか否かの照会を受けると、アナライザ８１６は、当該照会に対応するアルゴリズムを識別し、入札者がおそらくは一定の期間中に出席した本バンドまたは類似のジャンルのバンドのコンサートの日付、それらのコンサートにおいてどのタイプの購入が行われたか、それらのコンサートにおいて、いくつのアイテムが購入されたか、それらのコンサートにおいて、商品にいくら支出されたか、小売店で、またはバンドのウェブサイトからバンド関係の商品のどれが、および／またはいくつ購入されたか等のタイプのデータが必要となり得ることを判断し得る。システムにより用いられる複数のアルゴリズムは、各情報要求および伴う複数の照会の詳細に依存することがあり、ここでは説明されない。
【００２４】
必要とされる各固有データアイテムについて、アナライザ８１６は、１または複数のデータエージェント８１８をスポーンし、および／または導いて、データを取得し得る（８６０）。各データエージェント８１８は、データ要求を受信し得る（８６２）。一般に、データ要求としては、例えば、購入履歴、支出履歴、位置履歴、活動履歴、クラブ会員情報、ソーシャルネットワーキングの複数のインタラクション、メディア使用履歴、複数のメディア推奨、友人のメディア使用履歴、および友人の複数のメディア推奨等のうち１または複数に関する照会が挙げられ得るが、これらに限定されない。我々の例を更に挙げると、１または複数の特定のデータエージェントは、バンド関係の商品が小売店またはバンドのウェブサイトからいくつ購入されたかに関係するデータを取得する要求を受信し得る。この照会について、１または複数のデータエージェントは、購入履歴、および場合によっては支出履歴に関するデータを取得する必要があり得る。データエージェントは、１または複数の関連するデータソース（例えば、電子的にアクセス可能なデータベースおよびストレージデバイス）をポーリングし、この情報を取得し得る（８６４）。一般に、データソースのタイプとしては、例えば、店舗記録、クレジットカード記録、電子レシート、位置履歴データ、クラブ会員記録、ソーシャルネットワーキング履歴データ、ソーシャルネットワーキングのコメント、メディア使用記録、メディア推奨記録、友人のメディア使用記録、友人のメディア推奨記録、センサデータ、ブログ、ツイート（登録商標）（ツイッター（登録商標）による）、テキスト、複数の電子メール、インスタントメッセージ、他の電子メッセージ、および電子文書等が挙げられ得るが、これらに限定されない。これらのデータソースの複数の位置としては、入札者に関連する１もしくは複数のデバイスに位置する１もしくは複数のデータファイル（ローカルに保存されたデータファイル、電子メール、テキストメッセージ、インスタントメッセージ、ツイート（登録商標）（ツイッター（登録商標）による）等）、入札者に関連するパーソナルクラウド、入札者（ソーシャルネットワーキングサービス、オンラインストア、ショッピングサービス等）に提供され、またはこれにより用いられるサービスに関連する１もしくは複数のデータベース、および入札者（例えば、私的ウェブサイト、ブログウェブサイト等）に関連する１もしくは複数のウェブサイトのうち１または複数が挙げられ得るが、これらに限定されない。再び我々の例を更に挙げると、１または複数のデータエージェントは、店舗記録、クレジットカード記録、および電子レシート等のデータソースタイプをポーリングすることが必要であり得ることを判断し得る。どの記録をポーリングするかを判断するべく、１または複数のデータエージェントは、オンライン注文確認もしくはレシート、ならびに／または入札者により用いられるクレジットカードの確認用の入札者デバイスに位置する入札者の電子メールおよび／または他の電子ファイルを見ることがある。実施形態において、データエージェントは、入札者デバイス上で探しているものを発見することができる。複数の他の実施形態において、データエージェントは、入札者デバイス上で発見された情報（例えば、入札者がどのクレジットカードを用いるか、入札者がどのオンラインストアに頻繁に通うか等）を識別し、所望の情報について、複数の外部ソース（例えば、オンラインの小売業者もしくはクレジットカード会社のデータベース）ポーリングするのに用い得る。本文書においては、プライバシーの懸念については扱われないが、例えば、前に検討されたデータアテンダントを用いるなどして、入札者または他者のプライバシーを危うくすることなく、一定のデータにアクセスし得るように、複数の外部データソースにより取られる安全予防策が存在し得る。
【００２５】
データエージェント８１８が特定のデータ要求において要求されたデータを取得すると、当該データをアナライザ８１６に提供し得る（８６６）。アナライザ８１６は、導いた１または複数のデータエージェント８１８から要求されたデータを受信することができ（８６８）、割り当てられた照会に関するデータを分析することができる（８７０）。実施形態において、アナライザ８１６は、割り当てられた照会に対応する識別済みアルゴリズムを用いて、受信済みデータを分析し得る。アナライザ８１６は、分析の結果を集約装置８１４に提供し得る（８７２）。集約装置８１４は、割り当てられた複数のアナライザの様々な分析の結果を受信することができ（８７４）、入札者に関連する入札に、これらの結果をパッケージ化し得る（８７６）。集約装置８１４は、入札承諾サーバ８０２に入札を提供し得る（８７８）。入札は、例えば、アイテム／サービスプロバイダが関心を有する複数の特徴に対応する、入札者の複数の特徴の概要を提供し得る。コンサートの例では、入札は、特定の入札者が、出席する全てのコンサートで一定額の商品を購入するダイハードコールドプレイのファンであるが、複数のコンサートで一定額の食物または飲料を購入せず、音楽または開催地を売り込むソーシャルメディアを用いないことを述べる。入札は、レポートとして明確にフォーマット化され得、読んで理解することが容易であり、および／または解釈するデータアナリストを必要とする未加工データを含み得る。
【００２６】
入札承諾サーバ８０２は、それぞれの入札者に割り当てられた各集約装置８１４から入札を募集する。実施形態において、入札承諾サーバ８０２、または入札承諾サーバ８０２の管理者は、どの入札者が選択され、アイテム／サービス（コンサートの例によれば、例えば、チケット）を受信するかを判断する当事者に、受信済みの入札を提供し得る。コンサートの例において、当該決定当事者は、例えば、開催地、バンド、および／または発券代理店であり得る。入札の選択は、ある程度自動化されてもよく、または完全に自動化されてもよい。実施形態において、入札承諾サーバ８０２は、所与のランク付けアルゴリズムに従って複数の入札をランク付けし（８８０）、次に、ランク付けされた結果は、検討する決定当事者に渡され得る。ランク付けアルゴリズムは、例えば開催地および／またはバンドにより提供された基準（例えば、重み付けされた基準）に基づき得る。選択されてチケットを受信する複数の入札者には、それをどのように取得するかに関する複数の命令と合わせて（例えば、電子メール、電話、テキスト等により）連絡される。
【００２７】
以下の段落において、図９〜１２に図示されるように、システムの個別のエンティティの視点から入札システムの複数の実施形態が検討される。
【００２８】
図９は、一実施形態による、集約装置の視点からの例示的プロセスフロー９００を図示するフローチャートである。９０２において、入札者に関連する情報要求が受信され得る。９０４において、１または複数のアナライザは、情報要求において指定された入札者に関連する１もしくは複数のデータポイント、または特定の複数の照会に関するデータを収集および分析するように指示され得る。９０６において、複数の分析結果は、１または複数のアナライザから受信され得る。９０８において、複数の分析結果は、入札にパッケージ化され得る。９１０において、入札は、入札承諾サーバに提供され得る（８７８）。
【００２９】
図１０は、一実施形態による、アナライザの視点からの例示的プロセスフロー１０００を図示するフローチャートである。１００２において、入札者に関連する１もしくは複数のデータポイント、または特定の複数の照会に関するデータを収集および分析する要求は、（例えば、集約装置から）受信され得る。１００４において、１または複数のデータポイントに関するデータを収集および分析する複数の命令が、識別され得る。複数の命令は、一度収集されたデータに実行されるアルゴリズムを含んでもよく、および／またはどの固有データアイテムが必要とされ、あるいは当該データをどこで探せばいいかを識別してもよい。１００６において、１または複数のデータポイントの各々について、１または複数のデータエージェントは、入札者に関連する１または複数のデータソースから、データポイントに関する１または複数の固有データアイテムを収集するように指示され得、データポイントに関する複数の固有データアイテムは、複数のデータエージェントから受信され得る。１００８において、複数の固有データアイテムが分析され得る。例えば、１００４において識別されたアルゴリズムは、複数の受信済みデータアイテムに実行され得る。１０１０において、データ分析の複数の結果は、入札にパッケージ化する集約装置に提供され得る。
【００３０】
図１１は、一実施形態による、入札承諾サーバの視点からの例示的プロセスフロー１１００を図示するフローチャートである。任意選択で、１１０２〜１１０４において、複数の潜在的入札者の１または複数のデバイスを介して１または複数の入札確認要求が、１または複数の潜在的入札者に送信され得、複数の入札者デバイスからの１または複数のアクノリッジメントが受信され得る。受信されたアクノリッジメントは、潜在的入札者が入札、および／または入札を組織化するべく、入札者がどのタイプのデータにアクセスし、および／または分析することを許可するかに関する情報を提出することを意図する確認を含み得る。また、任意選択で、１１０６においてデータ収集ツールは、複数の確認済み入札者のデバイスに提供され得る。実施形態において、データ収集ツールは、１１０２において入札確認要求と共に提供され得るが、入札者が確認されるまで必ずしも実行される訳ではない。１１０８において、入札者にそれぞれ関連する１または複数の情報要求は、各入札者にそれぞれ割り当てられた１または複数の集約装置に提供され得る。１１１０において、各入札者に関連する入札は、各集約装置からそれぞれ受信され得る。任意選択で、１１１２において、所与のアルゴリズムに従って、複数の受信済み入札がランク付けされ得る。例えば、コンサートの例において、ランク付けアルゴリズムは、開催地および／またはバンドにより提供された基準（例えば、重み付けされた基準）に基づき得る。
【００３１】
図１２は、一実施形態による、入札者デバイスの視点からの例示的プロセスフロー１２００を図示するフローチャートである。１２０２において、入札確認要求は、入札承諾サーバから受信され得る。１２０４において、入札確認要求は、ユーザインターフェースを介して潜在的入札者に提示され得る。１２０６において、入札確認要求に関する入札者からの入力は、ユーザインターフェースを介して受信され得る。例えば、入札者は、入札者が入札、および／または入札を組織化するべく、入札者がどのタイプのデータにアクセスし、および／または分析することを許可するかを定義する入力を、提出することを意図する入力確認を提供し得る。１２０８において、入札者から受信された入力に基づいて、入札確認要求に対する応答が入札承諾サーバに提供され得る。任意選択で、１２１０においてデータ収集ツールは、入札承諾サーバから受信され得る。１２１２において、データ収集ツールが（例えば、図４〜６に示されるもの等、入札システムの一部が入札者デバイスにおいて実行され得る実施形態に対して）実行され得る。実施形態において、データ収集ツールは、１２０２において入札確認要求と共に受信され得るが、入札者が確認されるまで必ずしもダウンロードされ、実行される訳ではない。
【００３２】
図１３は、一実施形態による、例示的な入札承諾サーバ１３０２のブロック図である。入札承諾サーバ１３０２は、例えば、図１〜５、７、および８の入札承諾サーバ１０２、２０２、３０２、４０２、５０２、７０２、または８０２をそれぞれ表し得る。図示されるように、入札承諾サーバ１３０２は、リンク１３８８もしくは類似のメカニズムによりメモリ１３８２、１もしくは複数の二次ストレージデバイス１３８４、および通信インターフェース１３８６に接続されたプロセッサもしくはコントローラ１３８０を含み得る。任意選択で、入札承諾サーバ１３０２は、例えば、システムまたはサービス管理者により用いられる複数のユーザインターフェースコンポーネント１３９０を含み得、これは例えば、タッチスクリーンディスプレイ、ディスプレイ、１もしくは複数のユーザ入力コンポーネント（例えば、キーボード、マウス等）、スピーカ等、またはこれらの任意の組み合わせを含み得る。しかし、示されていないが、入札承諾サーバ１３０２は、追加の複数のコンポーネントを含み得ることに留意されたい。プロセッサ１３８０は、マイクロプロセッサ、デジタルＡＳＩＣ、ＦＰＧＡ、または類似のハードウェアデバイスであってもよい。実施形態において、プロセッサ１３８０は、マイクロプロセッサであり得、ソフトウェアは、本明細書において説明される複数の機能を提供するプロセッサ１３８０により実行するべく、メモリ１３８２に格納またはロードされ得る。１または複数の二次ストレージデバイス１３８４は、例えば、１または複数のハードドライブ等であり得、プロセッサ１３８０により実行されるロジック１３９２を格納し得る。通信インターフェース１３８６は、ハードウェア、またはハードウェアおよびソフトウェアの組み合わせで実装され得る。通信インターフェース１３８６は、図１に示されるネットワーク１０６等のネットワークに、有線または無線ネットワークインターフェースを提供し得る。
【００３３】
図１４は、一実施形態による、例示的な入札者デバイス１４０４のブロック図である。入札者デバイス１４０４は、例えば、図１、４、５、および６の入札者デバイス１０４、４０４、５０４、または６０４をそれぞれ表し得る。図示されるように、入札者デバイス１４０４は、リンク１４８８もしくは類似のメカニズムにより、メモリ１４８２、１もしくは複数の二次ストレージデバイス１４８４、および通信インターフェース１４８６に接続されたプロセッサもしくはコントローラ１４８０を含み得る。入札者デバイス１４０４は、入札者デバイスのユーザ（例えば、入札者）により用いられる複数のユーザインターフェースコンポーネント１４９０も含み得、これは例えば、タッチスクリーンディスプレイ、ディスプレイ、１もしくは複数のユーザ入力コンポーネント（例えば、キーボード、マウス等）、スピーカ等、またはこれらの任意の組み合わせを含み得る。しかし、示されていないが、入札者デバイス１４０４は、追加の複数のコンポーネントを含み得ることに留意されたい。プロセッサ１４８０は、マイクロプロセッサ、デジタルＡＳＩＣ、ＦＰＧＡ、または類似のハードウェアデバイスであってもよい。実施形態において、プロセッサ１４８０は、マイクロプロセッサであり得、ソフトウェアは、本明細書において説明される複数の機能を提供するプロセッサ１４８０により実行するべく、メモリ１４８２に格納またはロードされ得る。１または複数の二次ストレージデバイス１４８４は、例えば、１または複数のハードドライブ等であり得、プロセッサ１４８０により実行されるロジック１４９２を格納し得る。通信インターフェース１４８６は、ハードウェア、またはハードウェアおよびソフトウェアの組み合わせで実装され得る。通信インターフェース１４８６は、図１に示されるネットワーク１０６等のネットワークに、有線または無線ネットワークインターフェースを提供し得る。
【００３４】
複数の方法およびシステムは、機能、特徴、およびその関係を図示する機能的構成要素ブロックを用いて本明細書に開示されている。これらの機能的構成要素ブロックのうち少なくともいくつかは、説明の便宜上、本明細書において任意に定義されている。指定された複数の機能およびその関係が適切に実行される限り、複数の代替的な境界が画定されてもよい。様々な実施形態が本明細書において開示されるが、それらは例として提示されていることを理解されたい。特許請求の範囲は、本明細書において開示される例示的な実施形態のいずれによっても限定されるべきではない。
【００３５】
上述のように、本明細書において開示される１または複数の特徴は、離散的および集積回路ロジック、特定用途向け集積回路（ＡＳＩＣ）ロジック、ならびにマイクロコントローラを含む、ハードウェア、ソフトウェア、ファームウェア、およびこれらの組み合わせで実装されてもよく、ドメイン固有集積回路パッケージの一部、または複数の集積回路パッケージの組み合わせとして実装されてもよい。本明細書において用いられるソフトウェアおよびファームウェアという用語は、コンピュータ実行可能な命令等のコンピュータプログラムロジックが格納され、コンピュータシステムに、本明細書において開示される１または複数の機能および／または複数の機能の組み合わせを実行させる少なくとも１つのコンピュータ可読媒体を含むコンピュータプログラム製品を指す。コンピュータ可読媒体は、一時的または非一時的であり得る。一時的コンピュータ可読媒体の例は、無線周波もしくは電気的導体を介し、ローカルエリアネットワークもしくは広域通信網を介し、またはインターネット等のネットワークを介して送信されるデジタル信号であり得る。非一時的コンピュータ可読媒体の例は、コンパクトディスク、フラッシュメモリ、または他のデータ格納デバイスであり得る。
【００３６】
入札者固有データ（例えば、私的データ、市場データ等）に基づく自動化された非金銭的入札を提供するための複数の技術が、本明細書において説明される。本明細書において説明される複数の入札技術は、例えば、ある人が希少アイテムを取得しようと試みる場合に、その人に固有のデータが担保の形態として用いられることを可能にし得る。しかし、本文書で用いられる特定の複数の例およびシナリオは、理解を容易にするためのものであり、限定されない。本明細書において説明される複数の技術は、希少なアイテムを巡って競合する人々を伴うか、または伴わない多くの他の文脈および状況において、複数の入札を自動的に生成するべく、用いられ得る。例えば、本明細書において説明される複数のシステムは、候補者、実行する売り込みコンテスト、または他の複数のタイプの競合等のリストを狭めるべく用いられ得る。他の多くの用途も企図され得る。
【００３７】
本明細書において説明される複数の技術を用いる利点は、人が記入して、決定当事者が聞きたいと考えることを記載する（これは事実を示さないことがある）アプリケーションに基づくのとは異なり、人の特徴、習慣、性格を実際に表し得る既存データを、技術が用いることである。本明細書において説明される技術の別の利点は、実質的にいずれのタイプの利用可能なデータも有用となり得ることである。例えば、本明細書に列挙される１つのデータソースは、センサデータである。何人かの人（例えば、熱心なランナー）は、靴内に複数のセンサを置いてトレーニングを管理する。本明細書において用いられるコンサートの例について続けると、入札者が偶然にも靴内にセンサを有する場合、当該センサデータは、入札者が一定の日時にコンサートにいたことを示すデータと共に、入札者が静かに立ったまま頷いていたのではなく、コンサートで実際に踊ったことを示し得、これは、より高次の意味でのファンの熱意を示し得る。多くの他の利点も企図され得る。
【００３８】
本願および特許請求の範囲において用いられるように、「１または複数」という用語により結び付けられたアイテムの一覧は、列挙された複数の用語の任意の組み合わせを意味し得る。例えば、「Ａ、Ｂ、またはＣのうち１または複数」、ならびに「Ａ、Ｂ、およびＣのうち１または複数」という文言は、Ａ、Ｂ、Ｃ、ＡおよびＢ、ＡおよびＣ、ＢおよびＣ、またはＡ、ＢおよびＣを意味し得る。
【００３９】
以下の複数の例は、更なる実施形態に関する。
【００４０】
集約装置の例
【００４１】
例１は、集約装置と、１または複数のアナライザと、１または複数のデータエージェントとを有し、集約装置は、入札承諾サーバから入札者に関連する情報要求を受信し、１または複数のデータエージェントから収集されたデータであって、入札者に関連する１または複数のデータポイントに関し、情報要求において要求されたデータを分析するように、１または複数のアナライザに指示し、１または複数のアナライザから複数の分析結果を受信し、複数の分析結果を入札にパッケージ化し、入札を入札承諾サーバに提供するように構成された、入札システムを備え得る。
【００４２】
例２は、例１の主題を含み得、１または複数のアナライザのうち特定のアナライザは、特定のデータポイントに関するデータを収集および分析するための複数の命令を識別し、入札者に関連する１または複数のデータソースから、特定のデータポイントに関する１または複数の固有データアイテムを収集するように１または複数のデータエージェントのうち１または複数に指示し、１または複数のデータエージェントから、特定のデータポイントに関する固有データアイテムを受信し、固有データアイテムを分析し、複数の分析結果を集約装置に提供するように構成される。
【００４３】
例３は、例２の主題を含み得、データを収集および分析するための複数の命令は、収集する固有データアイテムの識別、および収集された複数のデータアイテムを分析するべく用いるアルゴリズムの識別を含む。
【００４４】
例４は、例１〜３のいずれかの主題を含み得、特定のデータポイントは、購入履歴、支出履歴、位置履歴、活動履歴、クラブ会員情報、ソーシャルネットワーキングの複数のインタラクション、メディア使用履歴、複数のメディア推奨、友人のメディア使用履歴、または友人の複数のメディア推奨のうち少なくとも１つを伴う。
【００４５】
例５は、例１〜４のいずれかの主題を含み得、データソースは、複数の店舗記録、複数のクレジットカード記録、複数の電子レシート、位置履歴データ、複数のクラブ会員記録、ソーシャルネットワーキング履歴データ、複数のソーシャルネットワーキングのコメント、複数のメディア使用記録、複数のメディア推奨記録、友人の複数のメディア使用記録、友人の複数のメディア推奨記録、センサデータ、ブログ、テキスト、複数の電子メール、複数の他の電子メッセージ、または複数の電子文書のうち少なくとも１つを含む。
【００４６】
例６は、例１〜５のいずれかの主題を含み得、複数のデータソースの複数の位置は、入札者に関連する１もしくは複数のデバイス上に位置する、１もしくは複数のデータファイル、入札者に関連するパーソナルクラウド、入札者に提供され、または入札者により用いられる複数のサービスに関連する１もしくは複数のデータベース、または入札者に関連する１もしくは複数のウェブサイトのうち１または複数を含む。
【００４７】
例７は、例１〜６のいずれかの主題を含み得、１または複数のデータポイントは、入札者からの入力に基づいて限定される。
【００４８】
例８は、例１〜７のいずれかの主題を含み得、集約装置、１または複数のアナライザ、および１または複数のデータエージェントは、入札承諾サーバに位置する。
【００４９】
例９は、例１―７のいずれかの主題を含み得、集約装置は、入札承諾サーバに位置し、１または複数のアナライザおよび１または複数のデータエージェントは、入札者の入札デバイスに位置する。
【００５０】
例１０は、例１〜７のいずれかの主題を含み得、集約装置は、入札承諾サーバに位置し、１または複数のアナライザおよび１または複数のデータエージェントは、入札者の入札デバイスに位置する。
【００５１】
例１１は、例１〜７のいずれかの主題を含み得、集約装置、１または複数のアナライザ、および１または複数のデータエージェントは、入札者の入札デバイスに位置する。
【００５２】
例１２は、入札承諾サーバから入札者に関連する情報要求を受信し、１または複数のアナライザに、入札者に関連し、情報要求において要求された１または複数のデータポイントに関するデータを収集および分析するように指示し、１または複数のアナライザから複数の分析結果を受信し、複数の分析結果を入札にパッケージ化し、入札を入札承諾サーバに提供するコンピューティングデバイスのプロセッサに命令するように構成された制御ロジックを格納するコンピュータ可読媒体を含み得る。
【００５３】
例１３は、入札承諾サーバから入札者に関連する情報要求を受信するための手段と、入札者に関連し、情報要求において要求された１または複数のデータポイントに関するデータを収集および分析するように、１または複数のアナライザに指示するための手段と、１または複数のアナライザから複数の分析結果を受信するための手段と、複数の分析結果を入札にパッケージ化するための手段と、入札を入札承諾サーバに提供するための手段とを含む装置を備え得る。
【００５４】
例１４は、入札承諾サーバから入札者に関連する情報要求を受信する段階と、入札者に関連し、情報要求において要求された１または複数のデータポイントに関するデータを収集および分析するように、１または複数のアナライザに指示する段階と、１または複数のアナライザから複数の分析結果を受信する段階と、複数の分析結果を入札にパッケージ化する段階と、入札を入札承諾サーバに提供する段階とを備える方法を含み得る。
【００５５】
例１５は、例１４の主題を含み得、１または複数のアナライザに指示する段階は、特定のデータポイントに関するデータを収集および分析する複数の命令を識別し、入札者に関連する１または複数のデータソースから、特定のデータポイントに関する１または複数の固有データアイテムを収集するように１または複数のデータエージェントに指示し、１または複数のデータエージェントから、特定のデータポイントに関する固有データアイテムを受信し、固有データアイテムを分析するように、特定のアナライザに指示する段階を有する。
【００５６】
例１６は、例１５の主題を含み得、複数の命令を識別する段階は、収集する固有データアイテムを識別する段階と、用いるアルゴリズムを識別し、収集された複数のデータアイテムを分析する段階とを有する。
【００５７】
例１７は、例１４〜１６のいずれかの主題を含み得、１または複数のデータポイントは、入札者からの入力に基づいて限定される。
【００５８】
例１８は、コンピューティングデバイス上で実行されることに応答して、コンピューティングデバイスに、例１４〜１７のうちいずれか１つによる方法を実行させる複数の命令を備える少なくとも１つのコンピュータ可読媒体を含み得る。
【００５９】
例１９は、例１４〜１７のうちいずれか１つの方法を実行するための手段を備える装置を含み得る。
【００６０】
例２０は、入札承諾サーバから、入札者に関連する情報要求を受信する段階と、入札者に関連する１または複数のデータポイントに関し、情報要求において要求されたデータを収集および分析する段階と、複数の分析結果を入札にパッケージ化する段階と、入札を入札承諾サーバに提供する段階とを備える方法を含み得る。
【００６１】
例２１は、例２０の主題を含み得、特定のデータポイントに関するデータを収集および分析する段階は、特定のデータポイントに関するデータを収集および分析するための複数の命令を識別する段階と、入札者に関連する１または複数のデータソースから、特定のデータポイントに関する１または複数の固有データアイテムを収集する段階と、固有データアイテムを分析する段階とを有する。
【００６２】
例２２は、例２１の主題を含み得、複数の命令を識別する段階は、収集する固有データアイテムを識別する段階と、用いるアルゴリズムを識別し、収集された複数のデータアイテムを分析する段階とを有する。
【００６３】
例２３は、例２０〜２２のいずれかの主題を含み得、１または複数のデータポイントは、入札者からの入力に基づいて限定される。
【００６４】
例２４は、コンピューティングデバイス上で実行されることに応答して、コンピューティングデバイスに、例２０〜２３のうちいずれか１つによる方法を実行させる複数の命令を備える少なくとも１つのコンピュータ可読媒体を含み得る。
【００６５】
例２５は、例２０〜２３のうちいずれか１つの方法を実行するための手段を備える装置を含み得る。
【００６６】
入札承諾サーバの例
【００６７】
例１は、プロセッサと、プロセッサと通信するメモリとを備え、メモリは、各々が入札者に関連する１または複数の情報要求を、各入札者にそれぞれ割り当てられた１または複数の集約装置に提供し、各集約装置から、各入札者に関連する入札を受信することをプロセッサに指示するように適合された複数の命令を格納されており、各入札は、特定の入札者に関連する電子的に利用可能な収集データの分析に基づく非金銭的入札である、入札承諾サーバを含み得る。
【００６８】
例２は、例１の主題を含み得、複数の命令は、１または複数の情報要求を提供する前に、複数の潜在的入札者に関連する１または複数のデバイスを介して、１または複数の入札確認要求を１または複数の潜在的入札者にそれぞれ送信し、複数の潜在的入札者のうち１または複数から入札を提供することを意図すること確認する、複数の入札者デバイスから１または複数のアクノリッジメントを受信することを、プロセッサに指示するように更に適合される。
【００６９】
例３は、例２の主題を含み得、複数の入札確認要求は各々、各潜在的入札者がどのタイプのデータを含めることを許可するかの照会を含み、複数の入札者デバイスからの複数のアクノリッジメントは各々、各確認済み入札者がどのタイプのデータを含めることを許可するかを指定する情報を含み、集約装置に提供された情報要求は、各確認済み入札者がどのタイプのデータを含めることを許可するかを指定する情報を含む。
【００７０】
例４は、例１〜３のいずれかの主題を含み得、複数の命令は、データ収集ツールを複数の入札者に関連する複数のデバイスにそれぞれ提供することを、プロセッサに指示するように更に適合される。
【００７１】
例５は、例１〜４のいずれかの主題を含み得、複数の命令は、所与のアルゴリズムに従って複数の受信済みの入札をランク付けすることをプロセッサに指示するように更に適合される。
【００７２】
例６は、例１〜５のいずれかの主題を含み得、複数の命令は、所与の閾値数の入札に達した後に入札の募集を中止することをプロセッサに指示するように更に適合される。
【００７３】
例７は、各々が入札者に関連する１または複数の情報要求を、各入札者にそれぞれ割り当てられた１または複数の集約装置に提供し、各集約装置から、各入札者に関連する入札を受信することをコンピューティングデバイスのプロセッサに命令するように構成された制御ロジックを格納するコンピュータ可読媒体を含み得、各入札は、特定の入札者に関連する電子的に利用可能な収集データの分析に基づく非金銭的入札である。
【００７４】
例８は、例７の主題を含み得、制御ロジックは、１または複数の情報要求を提供する前に、複数の潜在的入札者に関連する１または複数のデバイスを介して、１または複数の入札確認要求を１または複数の潜在的入札者にそれぞれ送信し、複数の潜在的入札者のうち１または複数から入札を提供することを意図すること確認する、複数の入札者デバイスから１または複数のアクノリッジメントを受信することを、プロセッサに指示するように更に構成される。
【００７５】
例９は、例８の主題を含み得、複数の入札確認要求は各々、各潜在的入札者がどのタイプのデータを含めることを許可するかの照会を含み、複数の入札者デバイスからの複数のアクノリッジメントは各々、各確認済み入札者がどのタイプのデータを含めることを許可するかを指定する情報を含み、集約装置に提供された情報要求は、各確認済み入札者がどのタイプのデータを含めることを許可するかを指定する情報を含む。
【００７６】
例１０は、例７〜９のいずれかの主題を含み得、制御ロジックは、データ収集ツールを、複数の入札者に関連する複数のデバイスにそれぞれ提供することをプロセッサに指示するように更に構成される。
【００７７】
例１１は、例７〜１０のいずれかの主題を含み得、制御ロジックは、所与のアルゴリズムに従って複数の受信済みの入札をランク付けすることをプロセッサに指示するように更に構成される。
【００７８】
例１２は、例７〜１１のいずれかの主題を含み得、制御ロジックは、所与の閾値数の入札に達した後に入札の募集を中止することをプロセッサに指示するように更に構成される。
【００７９】
例１３は、各々が入札者に関連する１または複数の情報要求を、各入札者にそれぞれ割り当てられた１または複数の集約装置に提供するための手段と、各集約装置から、各入札者に関連する入札を受信するための手段とを備える装置を含み得、各入札は、特定の入札者に関連する電子的に利用可能な収集データの分析に基づく非金銭的入札である。
【００８０】
例１４において、例１３の主題は、１または複数の情報要求を提供する前に、複数の潜在的入札者に関連する１または複数のデバイスを介して、１または複数の入札確認要求を１または複数の潜在的入札者にそれぞれ送信するための手段と、複数の潜在的入札者のうち１または複数から入札を提供することを意図すること確認する、複数の入札者デバイスから１または複数のアクノリッジメントを受信するための手段を任意選択で含み得る。
【００８１】
例１５は、例１４の主題を含み得、複数の入札確認要求は各々、各潜在的入札者がどのタイプのデータを含めることを許可するかの照会を含み、複数の入札者デバイスからの複数のアクノリッジメントは各々、各確認済み入札者がどのタイプのデータを含めることを許可するかを指定する情報を含み、集約装置に提供された情報要求は、各確認済み入札者がどのタイプのデータを含めることを許可するかを指定する情報を含む。
【００８２】
例１６において、例１３〜１５のいずれかの主題は、データ収集ツールを複数の入札者に関連する複数のデバイスにそれぞれ提供するための手段を任意選択で含み得る。
【００８３】
例１７において、例１３〜１６のいずれかの主題は、所与のアルゴリズムに従って複数の受信済みの入札をランク付けするための手段を任意選択で含み得る。
【００８４】
例１８において、例１３〜１７のいずれかの主題は、所与の閾値数の入札に達した後に入札の募集を中止するための手段を任意選択で含み得る。
【００８５】
例１９は、各々が入札者に関連する１または複数の情報要求を、各入札者にそれぞれ割り当てられた１または複数の集約装置に提供する段階と、各集約装置から、各入札者に関連する入札を受信する段階とを備える入札募集の方法を含み得、各入札は、特定の入札者に関連する電子的に利用可能な収集データの分析に基づく非金銭的入札である。
【００８６】
例２０において、例１９の主題は、１または複数の情報要求を提供する前に、複数の潜在的入札者に関連する１または複数のデバイスを介して、１または複数の入札確認要求を１または複数の潜在的入札者にそれぞれ送信する段階と、複数の潜在的入札者のうち１または複数から入札を提供することを意図すること確認する、複数の入札者デバイスから１または複数のアクノリッジメントを受信する段階とを任意選択で含み得る。
【００８７】
例２１は、例２０の主題を含み得、複数の入札確認要求は各々、各潜在的入札者がどのタイプのデータを含めることを許可するかの照会を含み、複数の入札者デバイスからの複数のアクノリッジメントは各々、各確認済み入札者がどのタイプのデータを含めることを許可するかを指定する情報を含み、集約装置に提供された情報要求は、各確認済み入札者がどのタイプのデータを含めることを許可するかを指定する情報を含む。
【００８８】
例２２において、例１９〜２１のいずれかの主題は、データ収集ツールを複数の入札者に関連する複数のデバイスにそれぞれ提供する段階を任意選択で含み得る。
【００８９】
例２３において、例１９〜２２のいずれかの主題は、所与のアルゴリズムに従って複数の受信済みの入札をランク付けする段階を任意選択で含み得る。
【００９０】
例２４において、例１９〜２３のいずれかの主題は、所与の閾値数の入札に達した後に入札の募集を中止する段階を任意選択で含み得る。
【００９１】
例２５は、コンピューティングデバイス上で実行されることに応答して、コンピューティングデバイスに、例１９〜２４のうちいずれか１つによる方法を実行させる複数の命令を備える少なくとも１つのコンピュータ可読媒体を含み得る。
【００９２】
例２６は、例１９〜２４のうちいずれか１つの方法を実行するための手段を備える装置を含み得る。
【００９３】
アナライザの例
【００９４】
例１は、入札システムにおいて用いる装置であって、アナライザと、１または複数のデータエージェントとを備え、アナライザは、要求デバイスから要求を受信し、入札者に関連する１または複数のデータポイントに関するデータを収集および分析し、１または複数のデータポイントに関するデータを収集および分析する複数の命令を識別し、１または複数のデータポイントの各々について、入札者に関連する１または複数のデータソースから、データポイントに関する１または複数の固有データアイテムを収集するように、１または複数のデータエージェントに指示し、１または複数のデータエージェントからデータポイントに関する固有データアイテムを受信し、固有データアイテムを分析し、入札パッケージ化のために、要求デバイスにデータ分析の複数の結果を提供するように構成される、装置を含み得る。
【００９５】
例２は、例１の主題を含み得、複数の命令の識別は、収集する固有データアイテムを識別することと、用いるアルゴリズムを識別し、収集された複数のデータアイテムを分析することとを含む。
【００９６】
例３は、例１〜２のいずれかの主題を含み得、アナライザ、および１または複数のデータエージェントは、要求デバイスに位置する。
【００９７】
例４は、例１〜２のいずれかの主題を含み得、アナライザ、および１または複数のデータエージェントは、入札者の入札デバイスに位置する。
【００９８】
例５は、例１〜２のいずれかの主題を含み得、アナライザは、要求デバイスに位置し、１または複数のデータエージェントは、入札者の入札デバイスに位置する。
【００９９】
例６は、例１〜５のいずれかの主題を含み得、１または複数のデータポイントの各々は、購入履歴、支出履歴、位置履歴、活動履歴、クラブ会員情報、ソーシャルネットワーキングの複数のインタラクション、メディア使用履歴、複数のメディア推奨、友人のメディア使用履歴、および友人の複数のメディア推奨のうち少なくとも１つを伴う。
【０１００】
例７は、例１〜６のいずれかの主題を含み得、データソースは、複数の店舗記録、複数のクレジットカード記録、複数の電子レシート、位置履歴データ、複数のクラブ会員記録、ソーシャルネットワーキング履歴データ、複数のソーシャルネットワーキングのコメント、複数のメディア使用記録、複数のメディア推奨記録、友人の複数のメディア使用記録、友人の複数のメディア推奨記録、センサデータ、ブログ、テキスト、複数の電子メール、複数の他の電子メッセージ、および複数の電子文書のうち少なくとも１つを含む。
【０１０１】
例８は、例１〜７のいずれかの主題を含み得、複数のデータソースの複数の位置は、入札者に関連する１もしくは複数のデバイス上に位置する、１もしくは複数のデータファイル、入札者に関連するパーソナルクラウド、入札者に提供され、または入札者により用いられる複数のサービスに関連する１もしくは複数のデータベース、および入札者に関連する１もしくは複数のウェブサイトのうち１または複数を含む。
【０１０２】
例９は、要求デバイスから要求を受信し、入札者に関連する１または複数のデータポイントに関するデータを収集および分析し、１または複数のデータポイントに関する情報を収集および分析する複数の命令を識別し、１または複数のデータポイントの各々について、入札者に関連する１または複数のデータソースから、データポイントに関する１または複数の固有データアイテムを収集するように、１または複数のデータエージェントに指示し、１または複数のデータエージェントからデータポイントに関する固有データアイテムを受信し、固有データアイテムを分析し、入札パッケージ化のために、要求デバイスにデータ分析の複数の結果を提供することを、コンピューティングデバイスのプロセッサに命令するように構成された制御ロジックを格納するコンピュータ可読媒体を含み得る。
【０１０３】
例１０は、例９の主題を含み得、複数の命令の識別は、収集する固有データアイテムを識別することと、用いるアルゴリズムを識別し、収集された複数のデータアイテムを分析することとを含む。
【０１０４】
例１１は、要求デバイスから、入札者に関連する１または複数のデータポイントに関するデータを収集および分析する要求を受信するための手段と、１または複数のデータポイントに関するデータを収集および分析する複数の命令を識別するための手段と、１または複数のデータポイントの各々について、入札者に関連する１または複数のデータソースからデータポイントに関する１または複数の固有データアイテムを収集するように、１または複数のデータエージェントに指示し、１または複数のデータエージェントからデータポイントに関する複数の固有データアイテムを受信するための手段と、複数の固有データアイテムを分析するための手段と、入札パッケージ化のために、データ分析の複数の結果を要求デバイスに提供するための手段とを備える、装置を含み得る。
【０１０５】
例１２は、例１１の主題を含み得、複数の命令を識別するための手段は、収集する固有データアイテムを識別するための手段と、用いるアルゴリズムを識別し、収集された複数のデータアイテムを分析するための手段とを有する。
【０１０６】
例１３は、要求デバイスから、入札者に関連する１または複数のデータポイントに関するデータを収集および分析する要求を受信する段階と、１または複数のデータポイントに関するデータを収集および分析する複数の命令を識別する段階と、１または複数のデータポイントの各々について、入札者に関連する１または複数のデータソースからデータポイントに関する１または複数の固有データアイテムを収集するように、１または複数のデータエージェントに指示し、１または複数のデータエージェントからデータポイントに関する複数の固有データアイテムを受信する段階と、複数の固有データアイテムを分析する段階と、入札パッケージ化のために、データ分析の複数の結果を要求デバイスに提供する段階とを備える、データを分析する方法を含み得る。
【０１０７】
例１４は、例１３の主題を含み得、複数の命令を識別する段階は、収集する固有データアイテムを識別する段階と、用いるアルゴリズムを識別し、収集された複数のデータアイテムを分析する段階とを有する。
【０１０８】
例１５は、コンピューティングデバイス上で実行されることに応答して、コンピューティングデバイスに、例１３〜１４のうちいずれか１つによる方法を実行させる複数の命令を備える少なくとも１つのコンピュータ可読媒体を含み得る。
【０１０９】
例１６は、例１３〜１４のうちいずれか１つの方法を実行するための手段を備える装置を含み得る。
【０１１０】
例１７は、要求デバイスから、入札者に関連する１または複数のデータポイントに関するデータを収集および分析する要求を受信する段階と、１または複数のデータポイントに関するデータを収集および分析する複数の命令を識別する段階と、１または複数のデータポイントの各々について、入札者に関連する１または複数のデータソースからデータポイントに関する１または複数の固有データアイテムを収集する段階と、１または複数のデータエージェントからデータポイントに関する複数の固有データアイテムを受信する段階と、複数の固有データアイテムを分析する段階と、入札パッケージ化のために、データ分析の複数の結果を要求デバイスに提供する段階とを備える、データを分析する方法を含み得る。
【０１１１】
例１８は、例１７の主題を含み得、複数の命令を識別する段階は、収集する固有データアイテムを識別する段階と、用いるアルゴリズムを識別し、収集された複数のデータアイテムを分析する段階とを有する。
【０１１２】
例１９は、コンピューティングデバイス上で実行されることに応答して、コンピューティングデバイスに、例１７〜１８のうちいずれか１つによる方法を実行させる複数の命令を備える少なくとも１つのコンピュータ可読媒体を含み得る。
【０１１３】
例２０は、例１７〜１８のうちいずれか１つの方法を実行するための手段を備える装置を含み得る。
【０１１４】
入札者デバイスの例
【０１１５】
例１は、プロセッサと、ユーザインターフェースと、プロセッサと通信するメモリとを備え、メモリは、入札承諾サーバから入札確認要求を受信し、ユーザインターフェースを介して入札者に入札確認要求を提示し、ユーザインターフェースを介して、入札確認要求に関する入力を入札者から受信し、入札者からの受信済み入力に基づいて、入札承諾サーバに入札確認要求に対する応答を提供することを、プロセッサに指示するように適合された複数の命令を格納されている、コンピューティングデバイスを含み得る。
【０１１６】
例２は、例１の主題を含み得、入札確認要求は、入札者が入札を提出することを意図するか否かの照会、および入札者がどのタイプのデータを含めることを許可するかの照会のうち１または複数を含む。
【０１１７】
例３は、例１〜２のいずれかの主題を含み得、応答は、入札者が入札を提出することを意図するとの入札者からのアクノリッジメント、および入札者がどのタイプのデータを含めることを許可するかを指定する情報のうち１または複数を含む。
【０１１８】
例４は、例１〜３のいずれかの主題を含み得、複数の命令は、入札承諾サーバからデータ収集ツールを受信し、データ収集ツールを実行することをプロセッサに指示するように更に適合される。
【０１１９】
例５は、例４の主題を含み得、データ収集ツールは、入札者に関連する分析済みデータを集約するように構成された集約装置エージェント、入札者に関連するデータを分析するように構成された１または複数のアナライザエージェント、および入札者に関連するデータを収集するように構成された１または複数のデータエージェントのうち１または複数を含む。
【０１２０】
例６は、入札承諾サーバから入札確認要求を受信し、ユーザインターフェースを介して入札者に入札確認要求を提示し、ユーザインターフェースを介して、入札確認要求に関する入力を入札者から受信し、入札者からの受信済み入力に基づいて、入札承諾サーバに入札確認要求に対する応答を提供することを、コンピューティングデバイスのプロセッサに命令するように構成された、制御ロジックを格納するコンピュータ可読媒体を含み得る。
【０１２１】
例７は、例６の主題を含み得、入札確認要求は、入札者が入札を提出することを意図するか否かの照会、および入札者がどのタイプのデータを含めることを許可するかの照会のうち１または複数を含む。
【０１２２】
例８は、例６〜７のいずれかの主題を含み得、応答は、入札者が入札を提出することを意図するとの入札者からのアクノリッジメント、および入札者がどのタイプのデータを含めることを許可するかを指定する情報のうち１または複数を含む。
【０１２３】
例９は、例６〜８のいずれかの主題を含み得、制御ロジックは、入札承諾サーバからデータ収集ツールを受信し、データ収集ツールを実行することをプロセッサに指示するように更に構成される。
【０１２４】
例１０は、例９の主題を含み得、データ収集ツールは、入札者に関連する分析済みデータを集約するように構成された集約装置エージェント、入札者に関連するデータを分析するように構成された１または複数のアナライザエージェント、および入札者に関連するデータを収集するように構成された１または複数のデータエージェントのうち１または複数を含む。
【０１２５】
例１１は、入札承諾サーバから入札確認要求を受信するための手段と、ユーザインターフェースを介して入札者に入札確認要求を提示するための手段と、ユーザインターフェースを介して、入札確認要求に関する入力を入札者から受信ための手段と、入札者からの受信済み入力に基づいて、入札承諾サーバに入札確認要求に対する応答を提供するための手段とを備える装置を含み得る。
【０１２６】
例１２は、例１１の主題を含み得、入札確認要求は、入札者が入札を提出することを意図するか否かの照会、および入札者がどのタイプのデータを含めることを許可するかの照会のうち１または複数を含む。
【０１２７】
例１３は、例１１〜１２のいずれかの主題を含み得、応答は、入札者が入札を提出することを意図するとの入札者からのアクノリッジメント、および入札者がどのタイプのデータを含めることを許可するかを指定する情報のうち１または複数を含む。
【０１２８】
例１４において、例１１〜１３のいずれかの主題は、入札承諾サーバからデータ収集ツールを受信するための手段と、データ収集ツールを実行するための手段とを任意選択で含み得る。
【０１２９】
例１５は、例１４の主題を含み得、データ収集ツールは、入札者に関連する分析済みデータを集約するように構成された集約装置エージェント、入札者に関連するデータを分析するように構成された１または複数のアナライザエージェント、および入札者に関連するデータを収集するように構成された１または複数のデータエージェントのうち１または複数を含む。
【０１３０】
例１６は、入札承諾サーバから入札確認要求を受信する段階と、ユーザインターフェースを介して入札者に入札確認要求を提示する段階と、ユーザインターフェースを介して、入札確認要求に関する入力を入札者から受信する段階と、入札者からの受信済み入力に基づいて、入札承諾サーバに入札確認要求に対する応答を提供する段階とを備える方法を含み得る。
【０１３１】
例１７は、例１６の主題を含み得、入札確認要求は、入札者が入札を提出することを意図するか否かの照会、および入札者がどのタイプのデータを含めることを許可するかの照会のうち１または複数を含む。
【０１３２】
例１８は、例１６〜１７のいずれかの主題を含み得、応答は、入札者が入札を提出することを意図するとの入札者からのアクノリッジメント、および入札者がどのタイプのデータを含めることを許可するかを指定する情報のうち１または複数を含む。
【０１３３】
例１９において、例１６〜１８のいずれかの主題は、入札承諾サーバからデータ収集ツールを受信する段階と、データ収集ツールを実行することをプロセッサに指示する段階とを任意選択で含み得る。
【０１３４】
例２０は、例１９の主題を含み得、データ収集ツールは、入札者に関連する分析済みデータを集約するように構成された集約装置エージェント、入札者に関連するデータを分析するように構成された１または複数のアナライザエージェント、および入札者に関連するデータを収集するように構成された１または複数のデータエージェントのうち１または複数を含む。
【０１３５】
例２１は、コンピューティングデバイス上で実行されることに応答して、コンピューティングデバイスに、例１６〜２０のうちいずれか１つによる方法を実行させる複数の命令を備える少なくとも１つのコンピュータ可読媒体を含み得る。
【０１３６】
例２２は、例１６〜２０のうちいずれか１つの方法を実行するための手段を備える装置を含み得る。
【図１】
0006644988.tif 000002
【図２】
0006644988.tif 000003
【図３】
0006644988.tif 000004
【図４】
0006644988.tif 000005
【図５】
0006644988.tif 000006
【図６】
0006644988.tif 000007
【図７】
0006644988.tif 000008
【図８】
0006644988.tif 000009
【図９】
0006644988.tif 000010
【図１０】
0006644988.tif 000011
【図１１】
0006644988.tif 000012
【図１２】
0006644988.tif 000013
【図１３】
0006644988.tif 000014
【図１４】
0006644988.tif 000015